(57)【要約】【課題】ごみの捕集面積を十分に確保しつつ、材料コストの増加を抑制することができるフィルター部材及びドレンを提供する。【解決手段】軒樋２の底部２０上に設けられてごみを捕集するフィルター部材８である。フィルター部材８は、軒樋２の長さ方向に離間した２箇所に形成され、軒樋２の一方の壁部である第１壁部の内面に沿う壁沿部８０７を備える。フィルター部材８は、通水性を有し、両壁沿部８０７の中間部に形成されて軒樋２の他方の壁部である第２壁部側に向かって張り出したフィルター部８０を備える。【選択図】図１
2015148062.tif 000002
【特許請求の範囲】
【請求項１】
軒樋の底部上に設けられてごみを捕集するフィルター部材であって、
前記軒樋の長さ方向に離間した２箇所に形成され、前記軒樋の一方の壁部である第１壁部の内面に沿う壁沿部と、
通水性を有し、前記両壁沿部の中間部に形成されて前記軒樋の他方の壁部である第２壁部側に向かって張り出したフィルター部とを備えたことを特徴とするフィルター部材。
【請求項２】
軒樋の下側に配置されて前記軒樋の底部に形成された落とし口に連通する排水筒と、
通水性を有し、前記軒樋の底部の上側に配置され、前記排水筒に対して固定されて前記軒樋の底部を前記排水筒との間に挟み込む通水部材と、
前記軒樋の底部の上側に設けられてごみを捕集するフィルター部材とを備え、
前記フィルター部材が、
前記軒樋の長さ方向に離間した２箇所に形成され、前記軒樋の一方の壁部である第１壁部の内面に沿う壁沿部と、
通水性を有し、前記両壁沿部の中間部に形成され、前記軒樋の他方の壁部である第２壁部側に向かって張り出したフィルター部とを備えたことを特徴とするドレン。
【請求項３】
前記フィルター部材が、
前記通水部材に対して固定されて軒樋の長手方向における位置が決定される位置決め部と、
前記軒樋の第２壁部に係止されて前記軒樋の第２壁部側への移動及び上下方向の移動が規制される係止部とを備えたことを特徴とする請求項２に記載のドレン。
【請求項４】
前記両壁沿部が前記軒樋の建物側の壁部である第１壁部の内面に沿うものであることを特徴とする請求項２又は請求項３に記載のドレン。
【発明の詳細な説明】
【技術分野】
【０００１】
本発明は軒樋においてごみを捕集するためのフィルター部材及び軒樋に取り付けられるドレンに関する。
【背景技術】
【０００２】
特許文献１には、軒樋から竪樋に雨水を排出するために、軒樋の底部にドレンを取り付けることが開示されている。このドレンは上部内筒と下部外筒を備えている。上部内筒は、半球状のごみ除け網と、ごみ除け網の下端部を延長した雄ねじと、雄ねじの上縁部外面に形成された鍔部を備えている。これらごみ除け網、雄ねじ、及び鍔部は、一体に形成されている。上部内筒の雄ねじは、軒樋の底部に形成された排水孔に上方から挿通される。
【０００３】
下部外筒は、円筒状本体と、円筒状本体の上端部外面に形成された鍔部を備えている。円筒状本体の内面には、雌ねじが形成されている。下部外筒の雌ねじは、上部内筒の雄ねじに螺合される。これにより、上部内筒の鍔部と下部外筒の鍔部とで、軒樋の底部における排水孔の周縁部が挟まれて、ドレンが軒樋に取り付けられる。
【先行技術文献】
【特許文献】
【０００４】
【特許文献１】特開平９−２７９７８４号公報
【発明の概要】
【発明が解決しようとする課題】
【０００５】
特許文献１に開示されたドレンは、半球状のごみ除け網によって落葉等のごみを捕集することが可能である。ところが、このごみ除け網は排水孔の全周を囲むように形成されているため、材料コストが増加しやすい。
【０００６】
本発明は前記事情に鑑みてなされたものであって、材料コストの増加を抑制することができるフィルター部材及びドレンを提供することを課題とする。
【課題を解決するための手段】
【０００７】
前記課題を解決するために本発明のフィルター部材は、軒樋の底部上に設けられてごみを捕集するフィルター部材であって、前記軒樋の長さ方向に離間した２箇所に形成され、前記軒樋の一方の壁部である第１壁部の内面に沿う壁沿部と、通水性を有し、前記両壁沿部の中間部に形成されて前記軒樋の他方の壁部である第２壁部側に向かって張り出したフィルター部とを備えたことを特徴とする。
【０００８】
また、本発明のドレンは、軒樋の下側に配置されて前記軒樋の底部に形成された落とし口に連通する排水筒と、通水性を有し、前記軒樋の底部の上側に配置され、前記排水筒に対して固定されて前記軒樋の底部を前記排水筒との間に挟み込む通水部材と、前記軒樋の底部の上側に設けられてごみを捕集するフィルター部材とを備え、前記フィルター部材が、前記軒樋の長さ方向に離間した２箇所に形成され、前記軒樋の一方の壁部である第１壁部の内面に沿う壁沿部と、通水性を有し、前記両壁沿部の中間部に形成され、前記軒樋の他方の壁部である第２壁部側に向かって張り出したフィルター部とを備えたことを特徴とする。
【０００９】
また、ドレンは、前記フィルター部材が、前記通水部材に対して固定されて軒樋の長手方向における位置が決定される位置決め部と、前記軒樋の第２壁部に係止されて前記軒樋の第２壁部側への移動及び上下方向の移動が規制される係止部とを備えることが好ましい。
【００１０】
また、ドレンは、前記両壁沿部が前記軒樋の建物側の壁部である第１壁部の内面に沿うものであることが好ましい。
【発明の効果】
【００１１】
本発明にあっては、フィルター部材の第１壁部側にフィルター部を設けることなく、落ち葉等のごみを適切に捕集することができ、フィルター部材のコストの増加を抑制することができる。
【図面の簡単な説明】
【００１２】
【図１】本発明の実施形態の一例のドレンを含む排水構造の斜視図である。
【図２】本発明の実施形態の一例のドレンを含む排水構造の一部切欠斜視断面図である。
【図３】本発明の実施形態の一例のドレンの分解斜視図である。
【発明を実施するための形態】
【００１３】
以下、添付図面に基づいて本発明の実施形態について説明する。図１及び図２には、本実施形態のドレン１を軒樋２に取り付けた、軒樋２の排水構造が示されている。以下、軒樋２の長手方向を左右方向とし、軒樋２から見て建物側を後方、屋外側を前方として説明する。
【００１４】
軒樋２は建物に取り付けられた軒樋吊具（不図示）に吊り下げられている。軒樋２は角樋であって、底部２０、前壁部２１、及び後壁部２２を備えている。軒樋２の底部２０は略水平である。屋外側に位置する前壁部２１は、底部２０の前端部から立ち上がり、上方に行く程前側に位置するように傾斜している。後壁部２２は底部２０の後端部から立ち上がり、底部２０に対して垂直である。
【００１５】
前壁部２１の上端部には、後側に突出した後に前側に折り返された前耳部２１０が形成されている。後壁部２２の上端部には、前側に突出した後に下側に曲げられた後耳部２２０が形成されている。
【００１６】
図２に示されるように、軒樋２の底部２０には、上下に貫通する落とし口２００が形成されている。落とし口２００は例えばホールソー等を用いて平面視円形状に形成される。なお、落とし口２００は平面視非円形状に形成されてもよい。
【００１７】
ドレン１は排水筒３、突出部材４、通水部材５、ねじ部材６、及びフィルター部材８を備えている。排水筒３は、筒状部３０と、筒状部３０の上端部に設けられた当接部３１を備えている。
【００１８】
筒状部３０は円筒状に形成されている。筒状部３０の軸方向は、下方に行く程後側（建物側）に位置するように傾斜している。筒状部３０の下流側部分（軸方向における下側部分）は、呼び樋等の下流側の管材を連結可能な連結部３００となっている。
【００１９】
当接部３１は、略鉛直な縦板部３１０と、略水平な横板部３１１で構成されている。筒状部３０の上縁部は、後端部が前方部よりも上方に突出している。縦板部３１０は、筒状部３０の上縁部の後端部から下方に向かって突出している。縦板部３１０は軒樋２の後壁部２２と平行であり、略鉛直に配置されている。横板部３１１は縦板部３１０の下縁部から前方に向かって突出している。横板部３１１の左右両側は、筒状部３０の後端部を除く上縁部に繋がれている。筒状部３０の上端部の後部は、当接部３１によって塞がれている。
【００２０】
排水筒３の上端部の前部には、筒状部３０の上縁部と横板部３１１で囲まれた、上下に貫通する上開口部３２が形成されている。排水筒３内の空間は、上開口部３２を介して上方に開放されている。
【００２１】
突出部材４は排水筒３の上端部から上方に突出している。図３に示されるように突出部材４は筒部４５と複数の支柱部４６を備えている。支柱部４６は平面視で同一の仮想円上に間隔を介して配置されるように複数並べて設けられている。本実施形態では計２本の支柱部４６が設けられ、両支柱部４６は前後方向に間隔を介して配置されている。各支柱部４６は上下に長い板状である。なお、突出部材４は、仮想円上に配置される３本以上の支柱部４６を備えるものであってもよい。また、各支柱部４６は棒状であってもよい。
【００２２】
各支柱部４６は排水筒３の上開口部３２の内面から排水筒３の上方に突出している。各支柱部４６の下端部の左右両側には、前後に貫通し左右方向における内側に向かって凹んだ凹所４６０が形成されている。
【００２３】
排水筒３の上開口部３２の内面において、各支柱部４６の凹所４６０に対応する部分には、突起３５が形成されている。各支柱部４６の凹所４６０には、対応する突起３５が嵌め込まれ、各支柱部４６はこの状態で排水筒３に連結されている。なお、各支柱部４６は、突起３５を凹所４６０に嵌め込むことでのみ排水筒３に連結してもよいし、接着等の他の手段を併用して排水筒３に連結してもよい。
【００２４】
筒部４５は上下に開口した略円筒状に形成されている。各支柱部４６の上端部は、筒部４５に一体に接続されている。各支柱部４６の下部同士は、接続部４７を介して一体に繋がれている。
【００２５】
筒部４５の外周面には、ねじ部４１１が形成されている。ねじ部４１１は雄ねじである。
【００２６】
図２に示されるように排水筒３は、軒樋２の下側に配置されている。排水筒３の横板部３１１は、軒樋２の底部２０の下面に接触している。これにより、排水筒３の上方への移動が規制されている。排水筒３の縦板部３１０は、軒樋２の後壁部２２の後面に面接触している。これにより、排水筒３の前方への移動が規制されている。なお、前記面接触とは、面とこれに沿う面とが広い接触面積で接触することを意味する。
【００２７】
突出部材４は、軒樋２の下方から、落とし口２００を通して、軒樋２の底部２０よりも上方に突出している。
【００２８】
図３に示されるように、通水部材５は、上下の板部５０，５１同士を複数の連結部５２，５３で一体に繋いだものである。上下の板部５０，５１は、軒樋２の底部２０と平行であり、略水平に配置されている。上下の板部５０，５１の中央には、上下方向に貫通する挿通孔５００，５１０が夫々形成されている。
【００２９】
通水部材５は計２つの連結部５２，５３を備えている。連結部５２は通水部材５の前側に設けられ、連結部５３は通水部材５の後側に設けられている。各連結部５２，５３は縦長で厚み方向を前後方向とした矩形板状に形成されている。前側の連結部５２は、上下の板部５０，５１における前端部同士を繋いでおり、挿通孔５００，５１０の前側に位置している。後側の連結部５３は、上下の板部５０，５１における後端部同士を繋いでおり、挿通孔５００，５１０の後側に位置している。
【００３０】
図２に示されるように下側の板部５１には、挿通孔５１０の周縁部から下方に向かって突出した位置決め筒部５１１が形成されている。位置決め筒部５１１は外周面が軒樋２の落とし口２００の内周面に沿う筒状に形成されている。
【００３１】
通水部材５の下面部を構成する下側の板部５１は、位置決め筒部５１１を落とし口２００に嵌め込んだ状態で軒樋２の底部２０上に載置されている。板部５１の挿通孔５１０は、排水筒３の内側に連通している。板部５１は、位置決め筒部５１１が落とし口２００に嵌め込まれることで、軒樋２に対する水平方向の移動が規制されている。
【００３２】
通水部材５の後側の連結部５３の後面、及び上下の板部５０，５１の後端面は、軒樋２の後壁部２２の前面に沿って配置され、後壁部２２に対向している。これにより、通水部材５は軒樋２によって後方への移動が規制されている。なお、通水部材５の後側の連結部５３の後面、及び上下の板部５０，５１の後端面は、軒樋２の後壁部２２の前面に接触してもよいし、非接触で軒樋２の後壁部２２の前面近傍に配置されてもよい。
【００３３】
通水部材５の下側の挿通孔５１０には、落とし口２００から上方に突出した突出部材４の両支柱部４６が挿通されている。通水部材５の上側の挿通孔５００には、落とし口２００から上方に突出した突出部材４の筒部４５が挿通されている。
【００３４】
なお、突出部材４を通水部材５の上下の挿通孔５００，５１０に挿通する作業は、排水筒３に設けられた突出部材４を軒樋２の底部２０上に突出させ、この突出部材４に対して通水部材５を移動することで行ってもよい。また、軒樋２の底部２０上に載置した通水部材５に、排水筒３に設けられた突出部材４を差し込むことで、突出部材４を通水部材５の上下の挿通孔５００，５１０に挿通してもよい。
【００３５】
図３に示されるように、筒部４５の下端部には、外方に突出した突部４５０が複数形成されている。本実施形態では筒部４５の左右両側に突部４５０が形成されている。これら突部４５０は、上側の板部５０の挿通孔５００の孔縁に形成された凹部５０１に嵌め込まれている。これにより、上側の板部５０の周方向の位置が決まり、通水部材５が軒樋２に対して縦軸回りに回動することが規制されている。
【００３６】
ねじ部材６は上下に開口した略円筒状に形成されている。略円筒状のねじ部材６の内周面には、雌ねじ６３が形成されている。ねじ部材６の上部には、ねじ部材６を回転するときに施工者によって把持される把持部６１が形成されている。
【００３７】
ねじ部材６の雌ねじ６３は、通水部材５の上面部を構成する上側の板部５０よりもさらに上方に突出した筒部４５のねじ部４１１に螺合されている。ねじ部材６はその下端面が通水部材５の上側の板部５０の上面に当接するまで、ねじ部４１１に締め込まれている。
【００３８】
突出部材４に螺合されたねじ部材６は、通水部材５の上側の板部５０を下方に向けて押圧する。これにより、軒樋２の底部２０は、通水部材５の下側の板部５１の下面と、排水筒３の上端面とで挟まれ、排水筒３、突出部材４、通水部材５、及びねじ部材６が軒樋２に対して固定されている。
【００３９】
フィルター部材８は通水部材５に対して着脱可能に固定されている。図３に示されるようにフィルター部材８は、フィルター部８０と突部８１を備えている。フィルター部８０は、後方及び下方に開口した籠状に形成されている。フィルター部８０には、その全体に亘るように網目（格子目）で構成された矩形状の通水孔８０４が多数形成されている。
【００４０】
フィルター部８０は、半割筒状の壁部８００と、壁部８００で囲まれた空間の上方に配置された天井部８０１とで構成されている。
【００４１】
壁部８００は、多数の縦片部８０８と多数の横片部８０６とで網状（格子状）に形成されている。壁部８００は、フィルター部８０の前面を構成する前面部８０２と、フィルター部８０の側面を構成する左右両側の側面部８０３で構成されている。両側面部８０３は前面部８０２の左右両側端部から後側に向かって突出している。両側面部８０３は、後方に行く程互いに離れるように傾斜している。
【００４２】
天井部８０１は、前端部が前面部８０２の上端部に接続され、両側端部が側面部８０３の上端部に接続されている。
【００４３】
フィルター部材８は、壁部８００の下端面を軒樋２の底部２０に面接触させた状態で軒樋２の底部２０上に載置されている。フィルター部材８の壁部８００は、通水部材５の後方を除く周囲を覆い、天井部８０１は通水部材５及びねじ部材６の上方を覆っている。
【００４４】
壁部８００の前面部８０２には、前後方向に貫通し下方に開口した開口部８０５が形成されている。開口部８０５は通水孔８０４よりも大きく、通水部材５の前側の連結部５２に略合致する略矩形状に形成されている。
【００４５】
図２に示されるように、フィルター部８０の開口部８０５には、通水部材５の前側の連結部５２が嵌め込まれている。また、フィルター部８０の開口部８０５の下端部は、上方部よりも左右幅が大きくなっており、この部分には通水部材５の下側の板部５１の前端部が嵌め込まれている。これらにより、フィルター部材８の通水部材５に対する左右方向の移動が規制されている。すなわち、フィルター部材８の開口部８０５の周縁部は、フィルター部材８の通水部材５に対する位置を決めるための位置決め部を構成している。なお、位置決め部はフィルター部材８の開口部８０５の周縁部に限られない。
【００４６】
図３に示されるように、フィルター部材８の両側の側面部８０３の後端面は、夫々、壁沿部８０７を構成している。各壁沿部８０７は、側面部８０３の後端部において後側に突出した上下複数の横片部８０６の突出端面で構成されている。
【００４７】
両壁沿部８０７は軒樋２の長手方向である左右方向において離間して位置しており、図１に示されるように左右方向において落とし口２００を挟んだ両側に配置されている。フィルター部材８において、両壁沿部８０７の中間部分に位置するフィルター部８０（すなわち、前面部８０２及び両側面部８０３）は、軒樋２の後壁部２２と反対側となる前側に向かって張り出している。
【００４８】
フィルター部材８の両側の壁沿部８０７は、軒樋２の後壁部２２の前面に沿って配置され、後壁部２２に対向している。このため、フィルター部材８の後方への移動は、軒樋２によって規制されている。なお、フィルター部材８の両側の壁沿部８０７は、軒樋２の後壁部２２の前面に接触してもよいし、非接触で軒樋２の後壁部２２の前面近傍に配置されてもよい。
【００４９】
フィルター部８０の両側の側面部８０３の後端部を構成する上下複数の横片部８０６のうち、上端部に位置する２つの横片部８０６の間には、軒樋２の後耳部２２０が配置されている。これにより、フィルター部材８が上方に移動したときには、後耳部２２０の下方に配置された横片部８０６が後耳部２２０に当たってフィルター部材８の上方への移動が規制される。
【００５０】
突部８１はフィルター部８０の上面部を構成する天井部８０１から前方に向かって突出している。突部８１は、左右に長い係止部８１０と、係止部８１０から後方に突出した複数の接続片部８１１を備えている。各接続片部８１１の後端部は、天井部８０１に繋がれている。係止部８１０の前面には、側断面三角形状の係止溝部８１２が形成されている。
【００５１】
係止部８１０は、係止溝部８１２に軒樋２の前耳部２１０に嵌め込むことで、軒樋２に着脱可能に係止されている。これにより、軒樋２によってフィルター部材８の前端部の上下両方向及び前方への移動が規制されている。
【００５２】
つまり、フィルター部材８は、開口部８０５に通水部材５を嵌め込み、両壁沿部８０７を軒樋２の後壁部２２に沿わせ、突部８１の係止部８１０を軒樋２の前耳部２１０に係止することで、軒樋２及びこれに取り付けられた通水部材５の両者に固定されている。
【００５３】
そして、フィルター部材８において、両壁沿部８０７の中間部分に位置するフィルター部８０と、軒樋２の後壁部２２とによって、軒樋２の落とし口２００の上方空間１０が囲まれており、この空間１０に通水部材５及びねじ部材６が配置されている。
【００５４】
フィルター部材８は、ねじ部材６を突出部材４に螺合して排水筒３及び通水部材５を軒樋２に取り付けた状態のまま、通水部材５及び軒樋２から取り外すことができる。フィルター部材８を取り外すには、係止部８１０を前耳部２１０から外してフィルター部材８を上方に引き上げ、開口部８０５から通水部材５を外せばよい。
【００５５】
図２に示される排水筒３の連結部３００には、例えば呼び樋の上流側端部が直接連結される。排水筒３は、その軸方向を鉛直方向に対して傾けた状態で、軒樋２に取り付けられている。このため、軒樋２に呼び樋を連結するためのエルボー等の管材を省略することができる。また、このようにエルボー等の管材を省略した場合、シンプルな外観を有する排水構造にすることができる。なお、呼び樋の下流側端部は、エルボーを介して竪樋の上端部に連結される。
【００５６】
ドレン１が軒樋２に取り付けられた状態では、軒樋２を流れる雨水は、フィルター部材８の壁部８００の通水孔８０４を通過する。この雨水は、通水部材５の両連結部５２，５３の間、及び下側の挿通孔５１０を順に通って、軒樋２の落とし口２００から排水筒３に流れ込み、呼び樋及び竪樋を介して排出される。
【００５７】
軒樋２を流れる雨水がフィルター部材８の通水孔８０４を通過するときには、フィルター部材８の網状のフィルター部８０によって、雨水に含まれる落ち葉等のごみが捕集される。このため、通水部材５よりも下流側の排水筒３や、排水筒３の下流側に配置された管材においては、ごみ等が詰まり難くなる。
【００５８】
以上説明した本実施形態のフィルター部材８は、軒樋２の底部２０上に設けられてごみを捕集するものである。フィルター部材８は壁沿部８０７とフィルター部８０とを備えている。壁沿部８０７は、軒樋２の長さ方向に離間した２箇所に形成され、軒樋２の一方の壁部である第１壁部（後壁部２２）の内面に沿う。フィルター部８０は、通水性を有し、両壁沿部８０７の中間部に形成されて軒樋２の他方の壁部である第２壁部（前壁部２１）側に向かって張り出す。
【００５９】
このフィルター部材８は、第１壁部（後壁部２２）側にフィルター部８０を設けることなく、落ち葉等のごみを捕集することができ、フィルター部材８のコストの増加を抑制することができる。
【００６０】
また、本実施形態のドレン１は、排水筒３、通水部材５、及びフィルター部材８を備えている。排水筒３は、軒樋２の下側に配置されて軒樋２の底部２０に形成された落とし口２００に連通する。通水部材５は、通水性を有し、軒樋２の底部２０の上側に配置され、排水筒３に対して固定されて軒樋２の底部２０を排水筒３との間に挟み込む。フィルター部材８は、軒樋２の底部２０の上側に設けられてごみを捕集する。フィルター部材８が壁沿部８０７とフィルター部８０とを備えている。壁沿部８０７は軒樋２の長さ方向に離間した２箇所に形成され、軒樋２の一方の壁部である第１壁部（後壁部２２）の内面に沿う。フィルター部８０は、通水性を有し、両壁沿部８０７の中間部に形成され、軒樋２の他方の壁部である第２壁部（前壁部２１）側に向かって張り出す。
【００６１】
このドレン１は、フィルター部材８の第１壁部（後壁部２２）側にフィルター部８０を設けることなく、落ち葉等のごみを捕集することができ、フィルター部材８のコストの増加を抑制することができる。
【００６２】
また、本実施形態のように、フィルター部材８が位置決め部（開口部８０５）と係止部８１０を備えることが好ましい。位置決め部は、通水部材５に対して固定されて軒樋２の長手方向における位置が決定される。係止部８１０は軒樋２の第２壁部（前壁部２１）に係止されて軒樋２の第２壁部側への移動及び上下方向の移動が規制される。このようにすることで、フィルター部材８をしっかりと固定することができる。
【００６３】
また、本実施形態のように、両壁沿部８０７が軒樋２の建物側の壁部である第１壁部（後壁部２２）の内面に沿うものであることが好ましい。このようにすると、フィルター部材８で捕集されたごみを軒樋２の前側から取り除く際に、フィルター部材８の前側（建物と反対側）や左右両側の手が届きやすい箇所にごみを捕集することができ、フィルター部材８に付着したごみを容易に取り除くことができる。
【００６４】
なお、本実施形態では、フィルター部材８の両側の壁沿部８０７が、軒樋２の後壁部２２の内面に沿って配置されている。しかし、フィルター部材８は、両壁沿部８０７が軒樋２の前壁部２１に沿い、両壁沿部８０７の間のフィルター部８０が後壁部２２側に張り出すものであってもよい。すなわち、フィルター部材８は、両壁沿部８０７が軒樋２の一方の壁部である第１壁部の内面に沿い、この間のフィルター部８０が軒樋２の他方の壁部である第２壁部側に向かって張り出したものであればよい。
【００６５】
また、フィルター部材８は通水部材５に位置決めされず、軒樋２に対してのみ固定されるものであってもよい。また、本実施形態では、排水筒３の軸方向が軒樋２の底部２０と垂直な方向に対して傾斜しているが、平行であってもよい。また、本実施形態において、排水筒３に連結される下流側の管材は、呼び樋に限られず、エルボー等の継手や竪樋であってもよい。また、本実施形態における通水部材５は、ねじ部材６と一体に形成されてもよい。また、この他、本実施形態におけるドレン１は、本発明の趣旨を逸脱しない範囲で設計変更可能である。
【符号の説明】
【００６６】
１  ドレン
２  軒樋
２０  底部
２１  前壁部（第２壁部）
２２  後壁部（第１壁部）
２００  落とし口
３  排水筒
５  通水部材
６  ねじ部材
８  フィルター部材
８０  フィルター部
８０７  壁沿部
【図１】
2015148062.tif 000003
【図２】
2015148062.tif 000004
【図３】
2015148062.tif 000005